(57)【要約】【課題】スピーカユニットの裏面側のバックキャビティが大容量化でき、音質調整が容易で、広い調整幅が得られるイヤホンを提供する。【解決手段】本体部(1)と、本体部(1)から一面側に突出する第１の筒状部(2)と、第１の筒状部(2)の先端に配されたスピーカユニット(SP)と、本体部(1)から他面側に突出する第２の筒状部(3)と、を有し、前記スピーカユニット(SP)の一面(SP1)を臨み第１の筒状部(2)と本体部(1)と第２の筒状部(3)とに跨って空隙部(BC)が形成されている。【選択図】図４
2011223211.tif 000002
【特許請求の範囲】
【請求項１】
本体部と、
前記本体部から一面側に突出する第１の筒状部と、
前記第１の筒状部の先端に配されたスピーカユニットと、
前記本体部から他面側に突出する第２の筒状部と、を有し、
前記スピーカユニットの一面を臨み前記第１の筒状部と前記本体部と前記第２の筒状部とに跨って空隙部が形成されているイヤホン。
【請求項２】
前記第１の筒状部と前記第２の筒状部とが同心で形成されていることを特徴とする請求項１記載のイヤホン。
【請求項３】
前記第２の筒状部は、本体部から離れるに従って前記第２の筒状部の軸線から離れるように形成された拡張部を有することを特徴とする請求項１または請求項２記載のイヤホン。
【発明の詳細な説明】
【技術分野】
【０００１】
本発明はイヤホンに係る。特に、本体部から突出する筒状部及び筒状部の先端に配されたスピーカユニットを有し、筒状部にイヤピースを装着した状態でイヤピース及び筒状部の先端側を外耳道内に挿入することで耳介内に装着する耳栓型（通常カナル型とも称される）のイヤホンに関する。
【背景技術】
【０００２】
本体部と、本体部から突出する筒状部と、筒状部の先端に装着されたスピーカユニットと、を備えたイヤホンが、本出願人の出願に係る特許文献１に開示されている。
このイヤホンにおいて、スピーカユニットの裏面側には、その裏面と筒状部の内面とを含んだ面で囲む空隙（バックキャビティ部）が形成されている。
この空隙におけるスピーカユニットとは反対側の端部は、概ね筒状部と本体部との連結位置にある。
【０００３】
このイヤホンは、スピーカユニットが本体部に収納されていないので、本体部の形状をスピーカユニットの形状や大きさに影響を受けずに設定することができる。特許文献１に開示されたイヤホンは、本体部が狭幅の細長のコンパクトな形状に形成されている。
従って、このイヤホンは、耳に装着した状態の外観が極めてコンパクトであり、圧迫感がなく、高い外観品位を発揮する。
【先行技術文献】
【特許文献】
【０００４】
【特許文献１】特開２０１０−１６７８７号公報
【発明の概要】
【発明が解決しようとする課題】
【０００５】
一般に、イヤホンのバックキャビティは、スピーカユニットの大きさに対して或程度必要な容積が確保されていることが望まれるが、極端に容積が大きい場合を除き、容積が大きい程、設計プロセスにおいてイヤホンの音質を最終的に決定する際の音質調整が容易である。
音質調整は、例えば、バックキャビティに連接する空間と両者を連通する通気路とを予め設けておき、通気路の断面積や通気路の開口部を覆うフィルターの材質や種類を種々異ならせた複数の仕様のイヤホンを作成して各再生音を確認することで行われる。
【０００６】
バックキャビティの容積が大きい程、音質調整で作成される各仕様のイヤホン間の音質の違いがはっきり認識できるので、調整が容易になる。
また、バックキャビティの容積が大きい程、出力音声においてより豊かな低音が得られ易くなり、結果として音質調整の調整幅が広がる。
【０００７】
ところで、特許文献１に開示されたイヤホンでは、筒状部が円筒状とされ、スピーカユニットは筒状部の外径とほぼ同径とされている。また、筒状部の外径は少なくとも外耳道の内に挿入できる程度の細い径とすることが必要である。
そのため、バックキャビティの容積を筒状部の径を拡大して増加させることには限界がある。
従って、筒状部を外耳道内に挿入可能としつつバックキャビティの容積を拡張することが望まれている。
【０００８】
そこで、本発明が解決しようとする課題は、筒状部の先端にスピーカユニットを配置し、筒状部及びそれに装着したイヤピースの先端側を外耳道内に挿入して耳に装着するイヤホンにおいて、スピーカユニットの裏面側のバックキャビティを大容量化でき、音質調整が容易で、広い調整幅が得られるイヤホンを提供することにある。
【課題を解決するための手段】
【０００９】
上記の課題を解決するために、本願発明は手段として次の構成を有する。
（１）  本体部(1)と、
前記本体部(1)から一面側に突出する第１の筒状部(2)と、
前記第１の筒状部(2)の先端に配されたスピーカユニット(SP)と、
前記本体部(1)から他面側に突出する第２の筒状部(3)と、を有し、
前記スピーカユニット(SP)の一面(SP1)を臨み前記第１の筒状部(2)と前記本体部(1)と前記第２の筒状部(3)とに跨って空隙部(BC)が形成されているイヤホン(50)である。
（２）  前記第１の筒状部(2)と前記第２の筒状部(3)とが同心で形成されていることを特徴とする(1)に記載のイヤホン(50)である。
（３）  前記第２の筒状部(3)は、本体部(1)から離れるに従って前記第２の筒状部(3)の軸線(CL3)から離れるように形成された拡張部(3f)を有することを特徴とする(1)または(2)に記載のイヤホン(50)である。
【発明の効果】
【００１０】
本発明によれば、スピーカユニットの裏面側のバックキャビティを大容量化でき、音質調整が容易で、広い調整幅が得られる、という効果が得られる。
【図面の簡単な説明】
【００１１】
【図１】本発明のイヤホンの実施例を示す外観斜視図である。
【図２】本発明のイヤホンの実施例を示す天面図である。
【図３】本発明のイヤホンの実施例を示す前面図である。
【図４】本発明のイヤホンの実施例における天面側からみた断面図である。
【図５】本発明のイヤホンの実施例における前面側からみた断面図である。
【図６】本発明のイヤホンの実施例における変形例を示す斜視図である。
【発明を実施するための形態】
【００１２】
本発明の実施の形態を、好ましい実施例により図１〜図５を用いて説明する。
図１〜図５において、スピーカユニットＳＰは一点鎖線で示し、イヤピースＥＰは二点鎖線で示す。
【００１３】
図１は、本発明のイヤホンの実施例を示す外観斜視図である。このイヤホンは、左耳に装着するイヤホン５０であり、左耳に装着した際の前方斜め外上方側から見た斜視図である。
図２は、イヤホン５０を左耳に装着した際の天側から見た平面図である。
図３は、イヤホン５０を左耳に装着した際の前側から見た平面図である。
図４は、図３におけるＳ１−Ｓ１断面図である。
図５は、図２におけるＳ２−Ｓ２断面図である。
右耳用のイヤホンは、イヤホン５０の面対称形状となるので、イヤホン５０を代表として説明する。
また、以下の説明における前後内外天地の方向は、イヤホン５０を左耳に装着した状態の方向を示し、具体的には各図面に示された方向である。
また、天地方向は上下方向に対応するものとする。
【００１４】
イヤホン５０は、本体部１と、本体部１から斜め前内方に突出する筒状の筒状部２と、本体部１から斜め後外方に突出する突出筒状部３と、本体部１から下方に延出するコードブッシュ４と、を備えている。
本体部１は、耳介の内側に装着される部分である。具体的には後方側の端部が耳甲介の内壁に当接し、前方側の端部が耳珠の内側部分に当接するように装着される。
また、筒状部２の先端面には、スピーカユニットＳＰ（図１，図２，図４，及び図５にのみ一点鎖線で示す）が装着されている。この装着構造として特許文献１に示される構造が採用される。
すなわち、カップ状のユニットホルダＵＨ（図２のみに破線で示す）を用い、その内側にスピーカユニットＳＰを収納し、ユニットホルダＵＨの先端部ＵＨ１を筒状部２に設けた凹部２ｈｋ内に入り込むようにカシメる。これにより、スピーカユニットＳＰは筒状部２の先端部分に固定される。
もちろん、ユニットホルダＵＨを用いることなく、接着剤により直接筒状部２の先端に固着してもよい。
イヤピースＥＰ（図１及び図２にのみ二点鎖線で示す）は筒状部２に着脱自由に装着される。
コードブッシュ４の先端からは、スピーカユニットＳＰに接続されたコード４ａが延出している。図４及び図５において、スピーカユニットＳＰとコードブッシュ４とを繋ぐ部分のコード４ａについては理解容易のため削除している。
【００１５】
本体部は、概ね前後方向を長手としその両端部が円弧状の形状に形成されている。
図２に示すように、筒状部２は、その軸線ＣＬ２が本体部の長手方向軸線ＣＬ１に対して９０度より小さい角度θａとなるように突出している。この角度θａは、外耳道の頭部側面に対する角度に対応して設定される。
具体例としてはθａ＝７０度である。
【００１６】
突出筒状部３は、その軸線ＣＬ３が軸線ＣＬ２と一致するように本体部１に対して外後方に向け突出している。
また、図２に具体的に示すように、突出筒状部３は、外方に向かうに従って軸ＣＬ３に対してθｂの角度で拡径する円錐の一部として形成されている。θｂは例えば５．８５度と設定される。
また、突出筒状部３の周面３ａには、環状の周溝３ａ１が形成されている。
端部の隅部は、面取り部３ａ２が形成されている。イヤホン５０では面取り部３ａ２はＣ面取りとされている。
【００１７】
図１に示すように、突出筒状部３の先端面３ｂには開口部３ｂ１が形成されており、開口部３ｂ１内にはメッシュ部５が外部から臨まれるように設けられている。
【００１８】
次に、イヤホン５０の具体的構造について、図４及び図５も用いて説明する。
【００１９】
本体部１は、三つの部材により構成されている。
具体的には、本体部１は、外方側に配置された外ケース１Ａと、外ケースと組み合わされ内方側に配置された内ケース１Ｂと、外ケース１Ａと内ケース１Ｂとの合わせ面を覆うように配置された環状の中間ケース１Ｃと、で構成されている。
外ケース１Ａ及び内ケース１Ｂは樹脂により形成され、中間ケース１Ｃはゴム又はエラストマで形成される。
筒状部２は内ケース１Ｂにより形成されている。
【００２０】
図５に示すように、本体部１の下方側には孔１ｋが設けられており、孔１ｋにはコードブッシュ４が嵌め込まれるように固定されている。
【００２１】
図４及び図５に示すように、外ケース１Ａには、軸線ＣＬ３を中心とする概ね環状の凹部１Ａ１が形成されており、この凹部１Ａ１には突出筒状部３を形成するオーナメント３Ｍが嵌め込まれるように固定されている。
別の見方で説明すると、外ケース１Ａには、凹部１Ａ１の内側に軸線ＣＬ３を中心とする凸部１Ａ２が形成されており、この凸部１Ａ２の外面とオーナメント３Ｍの内面とが嵌合している。
凸部１Ａ２には内径φｂなる貫通孔１Ａ３が形成されている。
【００２２】
突出筒状部３は、オーナメント３Ｍの一部により構成されている。従って、周溝３ａ１,面取り部３ａ２，及び開口部３ｂ１はオーナメント３Ｍに形成されている。
【００２３】
オーナメント３Ｍは、開口部３ｂ１と連接する貫通孔３ｃを有している。
また、オーナメント３Ｍの内部には、開口部３ｂ１と貫通孔３ｃとに跨るように、メッシュ部５が配設されている。
メッシュ部５は例えば金属メッシュで断面山形状に形成されている。
メッシュ部５は、所定の開口面積を有しメッシュ部５を通過する空気に対してフィルターとして機能する。
メッシュ部５は金属メッシュに限定されず、所定の開口形状を有して形成された樹脂成形部材であってもよい。
【００２４】
図４及び図５に示すように、筒状部２は内径φａなる貫通孔２ｃを有する。
筒状部２の貫通孔２ｃと凸部１Ａ２の貫通孔１Ａ３とは、同心で連接するように設けられている。
貫通孔２ｃの内方端はスピーカユニットＳＰの裏面ＳＰ１により塞がれている。
貫通孔１Ａ３の外方端はフィルターであるメッシュ部５を介して外部に連通している。
すなわち、貫通孔２ｃと貫通孔１Ａ３との内面を含む面によりスピーカユニットＳＰのバックキャビティ部ＢＣが形成されている。
換言するならば、バックキャビティ部ＢＣは、空隙部として貫通孔２ｃと本体部１と貫通孔１Ａ３とに跨って形成されている。
【００２５】
このバックキャビティ部ＢＣの容積は、その外方端となるメッシュ５が本体部１の外側面を越えた外方に位置しているので、従来のイヤホンのバックキャビティ部ＢＣの容積と比較して、少なくとも本体部の厚さの分を越え大幅に拡張されている。
これにより、実施例のイヤホン５０は、バックキャビティ部ＢＣの容積が大きく、このイヤホン５０の音質を決定する際の音質調整が容易になっている。
また、より豊かな低音が再生可能となっている。
【００２６】
イヤホン５０は、本体部１に対して外方に突出する突出筒状部３を有している。
この突出筒状部３は、イヤホン５０を耳への装着した状態で耳介から外方に突出する。
従って、耳から取りはずす際に、この突出筒状部３を指で掴めるので、イヤホン５０の耳からの取り外しが容易である。
また、突出筒状部３を指で掴んでイヤホン５０を耳介に装着することもできるので、イヤホン５０は耳介への取り付け及び取り外しが大変容易になっている。
【００２７】
さらに、突出筒状部３が外方に向かって拡径する形状とされているので、指で掴む際に、より確実に掴むことができる。
また、周溝３ａ１はデザイン上のアクセントでもあるが、指で掴んだ際の引っ掛かりにもなるので、突出筒状部３を指で掴む際にさらに確実に掴むことができる。
【００２８】
本発明の実施例は、上述した構成に限定されるものではなく、本発明の要旨を逸脱しない範囲において変形例としてもよいのは言うまでもない。
内径φａと内径φｂとは同径でなくてもよい。例えば、φａ＜φｂの場合は、φａ＞φｂの場合よりも、振動板の背圧が減ってスピーカユニットの本来の特性が再生音に反映され易い。従って、音質調整作業において、本来の音を見極め易くなる。
筒状部２の軸線ＣＬ２と突出筒状部３の軸線ＣＬ３とは一致している例を説明したが、必ずしも一致していなくてもよい。具体的には、互いに平行でずれていてもよく、非平行とされていてもよい。
貫通孔２ｃ及び貫通孔１Ａ３の内面は円筒面でなくてもよく、円錐面状や他の曲面形状に形成されていてもよい。
また、径の異なる複数の円筒面が連接するよう形成されていてもよい。また、種々の面が組み合わされて形成されていてもよい。
突出筒状部３は、円筒状でなくてもよく、角形状や異形形状であってもよい。
いずれの形状であっても、本体部１から離れるほど外形が拡張するように形成されているとよりよい。
また、突出筒状部３は、全周面について外形が拡張するように形成されていなくてもよい。
指で摘んだ際に指がより掛かりやすくするため、軸を挟んで対向する部位の外形を、本体部から離れる程軸線から離れるように形成した拡張部を有していればよい。
図６に、イヤホン５０の変形例である、拡張部３ｆを有するイヤホン５０Ａを示す。
イヤホン５０Ａは、突出筒状部３が、円筒状の周面で形成された円筒面部３ｅと、本体部１から離れるに従って軸線ＣＬ３から離れるように形成された外面３ｆ１を有する拡張部３ｆを備えて形成されている。
イヤホン５０Ａは、拡張部３ｆが軸線ＣＬ３を挟んで前後方向に一対設けられている。
【符号の説明】
【００２９】
１  本体部
１Ａ  外ケース
１Ａ１  凹部
１Ａ２  凸部
１Ａ３  貫通孔
１Ｂ  内ケース
１Ｃ  中間ケース
１ｋ  孔
２  筒状部
２ｃ  貫通孔
３  突出筒状部
３ａ  周面
３ａ１  周溝
３ａ２  面取り部
３ｂ  先端面
３ｂ１  開口部
３ｃ  貫通孔
３ｆ  拡張部
３ｆ１  外面
３Ｍ  オーナメント
４  コードブッシュ
４ａ  コード
５  メッシュ部
５０  イヤホン
ＢＣ  バックキャビティ部
ＥＰ  イヤピース
ＳＰ  スピーカユニット
ＳＰ１  裏面
ＣＬ１〜ＣＬ３  軸線
θａ，θｂ  角度
φａ,φｂ  内径
【図１】
2011223211.tif 000003
【図２】
2011223211.tif 000004
【図３】
2011223211.tif 000005
【図４】
2011223211.tif 000006
【図５】
2011223211.tif 000007
【図６】
2011223211.tif 000008